(57)【特許請求の範囲】
【請求項１】
単線ケーブル（７０）が圧接される圧接端子（４１）と、
他コネクタの接触子と嵌合する嵌合端子（４３）とを有する複数個の接触子（４０）と、
圧接端子（４１）を受け入れる圧接端子受入部（５３，６３）を有するとともに、１つの圧接ブロック（５０，６０）に対して１つのケーブル（７０）が装着される複数個の圧接ブロック（５０，６０）と、
上記接触子（４０）が固定されたハウジング（１０）とを備え、
上記圧接ブロック（５０，６０）が圧接端子（４１）から離れた位置に回動軸（５１，６１）を備えるとともに、上記ハウジング（１０）が上記回動軸（５１，６１）に対してヒンジ結合する軸受部（１１）を備え、該回動軸（５１，６１）が該軸受部（１１）に対して着脱自在に構成され、
各圧接ブロック（５０，６０）が対応する圧接端子（４１）に向けて別個独立に回動することによって、各ケーブル（７０）が対応する圧接端子（４１）に対して個別に圧接されることを特徴とする多極コネクタ。
【請求項２】
上記各圧接ブロック（５０，６０）は、上記圧接端子受入部（５３，６３）と同じ側にハウジング用係合部（５４，６４）及び保持部材用係合部（５５，６５）を有し、
上記ハウジング（１０）は、上記圧接ブロック（５０，６０）と係合する圧接ブロック係合部（１７）を有し、
他コネクタと嵌合する嵌合部と、保持部材（３０）と係合する保持部材係合部（２２）とを有する第２ハウジング（２０）と、
上記保持部材係合部（２２）と係合する第２ハウジング係合部（３１）と、上記保持部材用係合部（５５，６５）と係合する圧接ブロックロック部（３２）とを有する保持部材（３０）とを備え、
各圧接ブロック（５０，６０）に対して上記保持部材（３０）が装着されることによって、上記各圧接ブロック（５０，６０）が上記保持部材（３０）に対してロックされることを特徴とする請求項１に記載の多極コネクタ。
【請求項３】
上記各圧接ブロック（５０，６０）は、上記単線ケーブル（７０）装着方向と直交する両方の側面において、整列用凹部（５８，６８）及び整列用凸部（５９，６９）を有し、
圧接ブロック（５０）の整列用凹部（５８）及び整列用凸部（５９）が圧接ブロック（６０）の整列用凸部（６９）及び整列用凹部（６８）にそれぞれ係合し、
一対の圧接ブロック（５０，６０）の上記圧接端子受入部（５３，６３）が互いに重なり合わないように配置されていることを特徴とする請求項１又は請求項２に記載の多極コネクタ。
【請求項４】
上記ハウジング（１０）は、上下一対の部材からなり、
上記圧接ブロック係合部（１７）と上記第１ハウジング用係合部（５４，６４）とが係合することにより、回動後の各圧接ブロック（５０，６０）が上記上下一対のハウジング（１０）に対して係止されることを特徴とする請求項３に記載の多極コネクタ。
【請求項５】
ケーブル（７０）が請求項１記載の多極コネクタに装着されていることを特徴とするハーネス体。
【請求項６】
単線ケーブル（７０）を圧接ブロック（５０，６０）に装着するステップと、圧接ブロック（５０，６０）に向けて突出した圧接端子（４１）を有する複数個の接触子（４０）を、ハウジング（１０）における圧接ブロック（５０，６０）対応位置に固定するステップと、単線ケーブル（７０）の装着された各圧接ブロック（５０，６０）を対応する圧接端子（４１）に向けて押圧して、１つのケーブル（７０；２７０）が対応する１つの圧接端子（４１）に対して別個独立に圧接されるステップと、上記ケーブル装着ステップ、ハウジング準備ステップ、及び、圧接ステップを繰り返すステップとを備えることを特徴とする多極コネクタの組立方法。
【発明の詳細な説明】
【０００１】
【発明の属する技術分野】
本発明は、一般に、複数のケーブルが圧接結線される多極コネクタに関する。本発明は、詳細には、複数の単線ケーブルを対応する接触子に圧接されることによって電気的な導通を得る多極コネクタに関する。本発明は、より詳細には、各単線ケーブルを圧接ブロックに対して個別に挿通したあと圧接ブロックを接触子に向けて押圧することにより、単線ケーブルを各接触子に対して圧接して電気的な導通を得る多極コネクタ、該コネクタを用いたハーネス体及び該コネクタの組立方法に関する。
【０００２】
【従来の技術】
従来、ケーブルを接触子と圧接するためのコネクタとして、例えば、実公昭６２−２６９２１号公報、実開平５−８７８２５号及び実開平３−６８３６２号公報において、様々な構造をした圧接結線用コネクタが提案されている。
【０００３】
実開平３−６８３６２号公報には、図１及び２に示すように、複数のケーブル１７０が保持された１つのケーブル保持体１１０を、各ケーブル１７０に対応した位置に複数の接触子１４０が固定された１つの接触子保持体１２０に対してヒンジ部１３０を中心にして回動させることによって、各ケーブル１７０を対応する接触子１４０に対して一括して圧接する回動圧接型のコネクタ１０１が開示されている。すなわち、回動圧接型多極コネクタ１０１では、図２に示すように、ケーブル１７０がケーブル保持体１１０の挿入穴１１２の中に挿通されており、一端にＵ字状の圧接部１４１を有し、他端に接続端部を有するＬ字状の接触子１４０が接触子保持体１２０に対して固定されている。そして、ケーブル保持体１１０は、突出した圧接部１４１を受け入れる挿入部１１３を備えている。図２において、ケーブル１１２が接触子１４０のＵ字状圧接部１４１の上端に位置するように、ケーブル１７０の挿通されたケーブル保持体１１０を、ヒンジ部１３０を中心にして下向きに回動させる。そして、ケーブル保持体１１０に対してプレス機等によって大きな圧接力を加えると、各ケーブル１１２が対応するＵ字状圧接部１４１に対して一括して圧接される。
【０００４】
図１に示したように、従来の回動圧接型多極コネクタ１０１は、１つのケーブル保持体１１０に保持された複数のケーブル１７０が同時に且つ一括して各接触子１４０に対して圧接される、いわば一括回動圧接型のものである。１つのケーブル１７０を１つの接触子１４０に対して圧接するときの個々の圧接力は小さいものの、一括回動圧接型のコネクタでは、複数のケーブル１７０を対応する接触子１４０に対して一括して圧接するために、大掛かりなプレス機等を用いて非常に大きな圧接力を加える必要がある。すなわち、全圧接力が（ケーブル１つ当りの圧接力）×（ケーブル数）になるので、ケーブル１７０の本数が多くなればなるほど、一括圧接に必要な圧接力が比例的に増加する。また、複数のケーブル１７０の中から１つのケーブル１７０だけを交換する場合であっても、ケーブル保持体１１０を接触子保持体１２０から解除するために、非常に大きな圧接解除力を必要とする。ケーブル１７０の圧接解除時において、圧接解除に全く関係のないケーブル１７０及び接触子１４０に対しても大きな圧接解除力が働くことによって、ケーブル保持体１１０、接触子保持体１２０及び接触子１４０が破損する可能性がある。したがって、圧接時及び圧接解除時のいずれの場合においても、非常に大きな力が多極コネクタ１０１に対して働くので、ケーブル保持体１１０、接触子保持体１２０及び接触子１４０が破損して再利用することが難しいという問題がある。
【０００５】
【発明が解決しようとする課題】
したがって、本発明の解決すべき技術的課題は、大掛かりなプレス機等によって大きな力を加えることなく、複数ケーブルが対応する各接触子に対して容易に圧接・脱離されて再利用可能な圧接結線用多極コネクタを提供することである。さらに、該コネクタの組立方法及び該コネクタを用いたハーネス体を提供することである。
【０００６】
【課題を解決するための手段・作用・効果】
上記技術的課題を解決するために、本発明は、単線ケーブルの装着された各圧接ブロックを対応する接触子に向けて別個独立に移動させて、各ケーブルを対応する圧接端子に対して個別に圧接することを基本的特徴とする。
【０００７】
具体的に述べれば、本発明に係る多極コネクタは、単線ケーブルが圧接される圧接端子と、他コネクタの接触子と嵌合する嵌合端子とを有する複数個の接触子と、圧接端子を受け入れる圧接端子受入部を有するとともに、１つの圧接ブロックに対して１つのケーブルが装着される複数個の圧接ブロックと、接触子が固定されたハウジングとを備え、圧接ブロックが圧接端子から離れた位置に回動軸を備えるとともに、ハウジングが回動軸に対してヒンジ結合する軸受部を備え、該回動軸が該軸受部に対して着脱自在に構成され、各圧接ブロックが対応する圧接端子に向けて別個独立に回動することによって、各ケーブルが対応する圧接端子に対して個別に圧接されることを特徴とする。
【０００８】
上記構成の多極コネクタによれば、以下のようにして、専用のプレス機等を用いることなく、複数ケーブルを対応する各接触子に対して容易に着脱することができる。すなわち、導電性の心線が絶縁被覆体で覆われた１つのケーブルが１つの圧接ブロックのケーブル装着部に装着される。ハウジング上には、圧接ブロックに向けて突出した圧接端子を有する複数個の接触子が、圧接ブロックに対応した位置に固定されている。そして、単線ケーブルの装着された各圧接ブロックが、対応する圧接端子に向けて比較的小さな圧接力で押圧されることによって、ケーブルが対応する圧接端子に対して確実に圧接される。このとき、単線ケーブルの絶縁被覆体が引き裂かれて、導電性の心線が露出し、心線が導電性の圧接端子と接触しながら塑性変形する。単線ケーブルの装着された残りの圧接ブロックについても、同様の圧接作業が繰り返される。その結果、圧接ブロックに装着された全てのケーブルが対応する全ての圧接端子に対して電気的に接続される。
【０００９】
このように、本発明に係る多極コネクタでは、１つのケーブルが装着された圧接ブロックを対応する接触子に対して圧接するという圧接作業を繰り返すので、各圧接作業においては、非常に小さな圧接力（例えば、手による押圧力）を加えるだけで済む。また、圧接されたコネクタにおいて１つのケーブルを交換する際には、交換すべきケーブルが装着された圧接ブロックに対して小さな圧接解除力を加えるだけで交換することができる。したがって、大掛かりなプレス機が不要であって、簡易的且つ小型の組立治具あるいは手による力で十分に解除できる、及び、ケーブルや圧接端子やハウジング等の破損が防止されて再利用可能であるという特長を備えている。
【００１０】
さらに、各圧接ブロックが第１ハウジング用係合部を有し、第１ハウジングが圧接ブロック係合部を有しており、各圧接ブロックは、第１ハウジング用係合部と圧接ブロック係合部との係合によって第１ハウジングに対して保持されている。したがって、上記係合保持構造は、圧接ブロックの係止機構として働き、圧接作業前及び圧接作業中において、各圧接ブロックが不用意に外れて破損することが防止され、圧接作業後における、ケーブルのケーブル圧接部に対する確実な圧接が維持される。
【００１１】
多極コネクタは、さらに、保持部材係合部と係合する第２ハウジング係合部と保持部材用係合部と係合する圧接ブロックロック部とを有する保持部材と、保持部材と係合する保持部材係合部を有する第２ハウジングとを備えており、各圧接ブロックは、保持部材係合部と第２ハウジング係合部との係合及び保持部材用係合部と圧接ブロックロック部との係合によって保持部材に対して保持されている。上記係合保持構造は、各圧接ブロックのロック機構として働き、多極コネクタ搬送時において、各圧接ブロックが不用意に外れて破損することが防止され、圧接作業後における、ケーブルのケーブル圧接部に対する確実な圧接が維持される。
【００１２】
圧接ブロックが圧接端子から離れたところに回動軸を備えるとともに、ハウジングが回動軸に対してヒンジ結合する軸受部を備え、各圧接ブロックが対応する圧接端子に向けて別個独立に回動することによって、各ケーブルが対応する圧接端子に対して個別に圧接される。上記ヒンジ結合によって、圧接ブロックが回動するときに「てこの原理」が働くために、小さな圧接力でケーブルが対応する圧接端子に対して圧接される。
【００１３】
好ましくは、圧接ブロックは、回動軸と反対側の端面に治具装着部を備える。上記構成によれば、治具装着部が回動軸から最も遠く離れたところに配置されている。したがって、治具装着部に対して、例えば棒状の治具を差込んだ状態で治具を反圧接方向に回動させると、「てこの原理」によって非常に小さな力でケーブルの圧接端子に対する圧接を解除することができる。
【００１４】
好ましくは、回動軸が軸受部に対して着脱自在に構成されている。圧接を行なった後には、ケーブルの絶縁被覆体が切り裂かれて、通常、切り裂かれた絶縁被覆体が圧接ブロック内に残留する。上記構成によれば、第１ハウジングから圧接ブロックが離脱されて、離脱された圧接ブロックから、その内に残留した絶縁被覆体を容易に取り除くことができる。
【００１５】
好ましくは、圧接ブロックは、圧接端子受入部の直上に押圧指示部を有する。上記構成によれば、作業者が押圧指示部を目印にして押圧すると、無理な力が働くことなく、圧接力が対応する圧接端子に対して直接的に加えられる。
【００１６】
好ましくは、一対の圧接ブロックが互いに相補的形状をなしている。上記構成によれば、一対の隣接する圧接ブロックは互いにその圧接端子受入部が重なり合わないような相補的形状にすることによって、圧接ブロックが狭ピッチで配置されて、コネクタの小型化を図ることができる。
【００１７】
上述したように、ハウジングに対する各圧接ブロックの回動によってケーブルを対応する圧接端子に対して圧接することができるが、各圧接ブロックがケーブル圧接部に沿って下方に並進移動することによって、各ケーブルが対応するケーブル圧接部に対して個別に圧接されるという構成にすることもできる。
【００１８】
また、上述した多極コネクタは、ケーブルが装着されたハーネス体の形で用いられる。さらに、ハーネス体をシェルで覆うことによってハーネス体が保護されたシェル付ハーネス体で用いられる。
【００１９】
【発明の実施の形態】
以下に、本発明の一実施形態に係る、回動型多極コネクタ１について、図３〜図１４を参照して詳細に説明する。
【００２０】
図３は、回動型多極コネクタ１を示す斜視図である。図４は、図３に示した多極コネクタ１の分解図である。図５は、図３に示した多極コネクタ１において、一対の圧接ブロック５０，６０を取り外した状態を示す斜視図である。図６は、図５に示した多極コネクタ１から取り外された一対の圧接ブロック５０，６０を示す斜視図である。
【００２１】
図３に示した多極コネクタ１は、不図示の対コネクタと対をなしている。多極コネクタ１は、図４に示すように、複数の接触子４０が整列して固定された上下一対の第１ハウジング１０と、上下一対の第１ハウジング１０を一体的に保持する第２ハウジング２０と、第１及び第２圧接ブロック５０，６０をロックするための保持部材３０と、ケーブル７０と不図示の対コネクタとの間に介在して電気的導通を提供する略Ｌ字形状の接触子４０と、ケーブル７０の装脱着される第１及び第２圧接ブロック５０，６０とを備えている。なお、単線ケーブル７０とは、比較的太い1本の導電性心線が電気絶縁性の被覆体で覆われたもの、及び、複数の細い電線が撚り合わされた1本の撚り線が電気絶縁性の被覆体で覆われたものである。また、単線ケーブル７０は、その先端の電気絶縁性の被覆体が予め剥ぎ取られて、心線が露出したリード線やワイヤー等であってもよい。
【００２２】
断面が略Ｌ字形状をした第１ハウジング１０は、絶縁性の樹脂材料（例えば、ＰＢＴ、ＰＣＴ、ＬＣＤ、ナイロン等の工業用プラスチック）を射出成形したものである。第１ハウジング１０は、コネクタ装着側の端部に、第１及び第２圧接ブロック５０，６０とヒンジ結合するための軸受部１１を複数個有している。軸受部１１の上部が部分的に切り欠かれており、第１及び第２圧接ブロック５０，６０の回動軸５１，６１を自在に着脱することができる。
【００２３】
上下の第１ハウジング１０の内部には、複数の接触子４０がコネクタ装着方向に沿って延在するようにインサート成形によって埋設固定されている。各接触子４０のＬ字の長辺部分の半分程度が第１ハウジング１０から露出し、残り半分が第１ハウジング１０内に埋設固定されている。各接触子４０のＬ字の短辺部分の半分程度が第１ハウジング１０から露出し、残り半分が第１ハウジング１０内に埋設固定されている。露出した圧接端子４１は、横一列に配置することも可能であるが、千鳥状に配置することによって、横一列の配置よりも狭ピッチの配置、すなわち高密度の配置が可能である。また、各第１ハウジング１０のベース上には、第１及び第２圧接ブロック５０，６０と係合するための、横ずれ防止凹部１２及び第１係合凹部１７を複数個有しており、第１ハウジング１０の両方の側面上には、第２ハウジング２０と係合するための第２ハウジング用係合凸部１３を有している。
【００２４】
略コの字形状をした第２ハウジング２０は、絶縁性の樹脂材料（例えば、ＰＢＴ、ＰＣＴ、ＬＣＤ、ナイロン等の工業用プラスチック）を射出成形したものである。第２ハウジング２０は、コネクタ装着側に、他コネクタと嵌合する嵌合部を備えてなり、嵌合部のコネクタ装着において、コネクタ装着方向に沿って延在する複数の端子挿入孔２１を有する。略コの字形状における対向する短辺は、その内側面に第１ハウジング用係合凹部２３をそれぞれ有し、その外側面に保持部材係合部２２をそれぞれ有する。保持部材係合部２２は、保持部材３０との係合方向に沿って、順に、第１凸部２２ａ及び第２凸部２２ｂを備えてなる。
【００２５】
略コの字形状をした保持部材３０は、絶縁性の工業用プラスチックを射出成形したものである。保持部材３０は、略コの字形状の対向する短辺において、第２ハウジング用係合部３１をそれぞれ有する。第２ハウジング用係合部３１は、第２ハウジング２０の第１凸部２２ａ及び第２凸部２２ｂによって２段階ラッチ構造を形成する。保持部材３０は、略コの字形状における長辺に第２係合凹部３２を有する。
【００２６】
接触子４０は、例えば銅合金等の導電性材料からなり、略Ｌ字形状に折り曲げられている。すなわち、接触子４０は、折り曲げられた露出部分が圧接端子４１を形成し、他コネクタとの装着側の露出部分が嵌合端子４３を形成する。圧接端子４１は、二股形状あるいはＵ字形状等のいわゆる圧接形状に形成されている。
【００２７】
略ボックス形状をした一対の圧接ブロック５０，６０は、絶縁性の樹脂材料（例えば、ＰＢＴ、ＰＣＴ、ＬＣＤ、ナイロン等の工業用プラスチック）を射出成形したものである。圧接ブロック５０，６０は、不図示の他コネクタとの装着側の端部に、第１ハウジング１０とヒンジ結合するための回動軸５１，６１をそれぞれ有している。
【００２８】
圧接ブロック５０，６０は、下面側において、それぞれ、横ずれ防止凸部５２，６２と、圧接端子受入穴５３，６３と、第１係合突起部５４，６４と、保持部材用係止部５５，６５とを有している。千鳥状に整列配列された複数の圧接端子４１に対応するように、圧接端子受入穴５３及び６３は、それぞれ、ケーブル装着側及びコネクタ装着側に位置している。それに伴って、横ずれ防止凸部５２，６２が、それぞれ、コネクタ装着側及びケーブル装着側に位置している。
【００２９】
圧接ブロック５０，６０は、ケーブル装着側の側面において、それぞれ、ケーブル挿入穴５６，６６及び治具挿入孔５７，６７を有している。圧接ブロック５０，６０は、ケーブル装着方向と直交する両方の側面において、それぞれ、整列用凹部５８，６８及び整列用凸部５９，６９を有しており、一対の圧接ブロック５０，６０が互いに相補的な形状をなしている。すなわち、圧接ブロック５０の整列用凹部５８及び整列用凸部５９が、それぞれ、圧接ブロック６０の整列用凸部６９及び整列用凹部６８に係合する。
【００３０】
次に、図７〜１４を参照しながら、多極コネクタ１、多極コネクタ１に対してケーブル７０の装着されたハーネス体２、及び、シェル付ハーネス体３の組立手順について説明する。
【００３１】
図７〜９は、多極コネクタ１及び多極コネクタ１に対してケーブル７０の装着されたハーネス体２の組立手順を説明するための斜視図である。図１０及び１１は、シェル付ハーネス体３の組立手順を説明するための斜視図である。図１２〜１４は、ハーネス体２の圧接前後の状態を説明するための断面図である。なお、各圧接ブロック５０，６０の上面の所定位置に、視覚的又は触覚的に検知される押圧指示部５０ａ及び６０ａが設けられているところが、図３〜６で説明した圧接ブロック５０，６０と異なっている。
【００３２】
上下に組み合わされて一体化された第１ハウジング１０に対して、第２ハウジング２０及び保持部材３０が、それぞれ、コネクタ装着側及びケーブル装着側から所定位置に装着される。なお、保持部材３０は、第２ハウジング用係合部３１と第１凸部２２ａとが係合した１段目のラッチ位置にある。保持部材３０が紛失しないように、保持部材３０が１段目のラッチ位置で保持されているが、この１段目のラッチ位置で各第１及び第２圧接ブロック５０，６０は自在に回動することができる。
【００３３】
第１及び第２圧接ブロック５０，６０が第１ハウジング１０のベースに対して略直角をなすとともに、第１及び第２圧接ブロック５０，６０の回動軸５１，６１が第１ハウジング１０の対応する軸受１１の直上に位置するように、各第１及び第２圧接ブロック５０，６０が位置決めされる。そして、回動軸５１，６１が軸受１１とヒンジ結合するように、各第１及び第２圧接ブロック５０，６０は、第１ハウジング１０に装着したあと、第１ハウジング１０のベースに対して略平行になるように回動される。その結果、各第１及び第２圧接ブロック５０，６０は、対応する所定の圧接配置空間１５，１６内にすっぽりと嵌まり込む。第１係合凹部１７と第１係合突起部５４，６４とが係合することによって、回動後の各第１及び第２圧接ブロック５０，６０は、第１ハウジング１０に対して係止されている。
【００３４】
図７に示すように、単線ケーブル７０が装着されるべき第１圧接ブロック５０は、回動軸５１を中心に回動して傾斜位置まで起こされる。傾斜位置にある第１圧接ブロック５０のケーブル挿入穴５６に対して単線ケーブル７０が奥に突き当たるまで挿入される。なお、第１圧接ブロック５０を傾斜させることによって、ケーブルの差込み作業を楽に行なうことができる。作業者が手又は小型プレス機の力（例えば、５〜７ｋｇ重の力）で押圧指示部５０ａを押圧すると、単線ケーブル７０の挿入された第１圧接ブロック５０は回動軸５１を中心に回動して水平位置になるまで倒されて、単線ケーブル７０が対応する圧接端子４１の圧接溝４２に圧接されている（図８参照）。したがって、手の力程度の非常に小さな圧接力で圧接することができる。単線ケーブル７０の絶縁性被覆が圧接溝４２で切り裂かれて、単線ケーブル７０の導電性心線が押し潰された状態で導電性の圧接溝４２に接触している。それとともに、第１係合凹部１７と第１係合突起部５４とが係合することによって、各第１圧接ブロック５０が第１ハウジング１０に対して係止されている。
【００３５】
上述した第１圧接ブロック５０の圧接手順が、残りの第１圧接ブロック５０並びに第２圧接ブロック６０に対して繰り返される。その結果、図９に示すように、単線ケーブル７０が装着された各第１及び第２圧接ブロック５０，６０が交互に配置されて、複数のケーブル７０が対応する接触子４０の圧接端子４１に圧接されたハーネス体２を得ることができる。したがって、複数のケーブル７０を一括して圧接する場合と比較して、非常に小さな圧接力で圧接することができる。
【００３６】
圧接作業が完了したハーネス体２において、保持部材３０をさらに１段押し込むことによって、第２ハウジング用係合部３１と第２凸部２２ｂとが係合した２段目のラッチ状態になる。この２段目のラッチ状態では、各第１及び第２圧接ブロック５０，６０が自在に回動しないようにロックされている。
【００３７】
上述した圧接手順に従って得られたハーネス体２に対して、図１０に示すように、第１シェル８０及び第２シェル８１を装着すると、図１１に示すように、ハーネス体２が第１シェル８０及び第２シェル８１で覆われたシェル付ハーネス体３が得られ、第１シェル８０及び第２シェル８１によって内蔵されたハーネス体２を保護することができる。
【００３８】
単線ケーブル７０と対応する圧接端子４１との圧接状態は、以下のようにして解除される。すなわち、各第１及び第２圧接ブロック５０，６０に設けられた治具挿入孔５７，６７に平板又は棒状の治具を差込んで、回動軸５１，６１を中心にして各第１及び第２圧接ブロック５０，６０を略垂直位置まで起こす。このとき、「てこの原理」によって、非常に小さな圧接解除力で圧接状態を解除することができる。各第１及び第２圧接ブロック５０，６０が略垂直位置にあれば、軸受部１１の上部が切り欠かれているために、各第１及び第２圧接ブロック５０，６０を持ち上げることによって各第１及び第２圧接ブロック５０，６０を取り外すことができる。取り外された各第１及び第２圧接ブロック５０，６０から単線ケーブル７０を引き抜くと、通常、ケーブル７０の絶縁性被覆が圧接端子受入穴５３，６３の内部に残っている。残留した絶縁性被覆を圧接端子受入穴５３，６３の窓からピンセット等で取り除いたあと、別の新しい単線ケーブル７０を装着して上述した圧接作業を繰り返す。圧接解除作業においても、圧接作業の場合と同様に、大掛かりなプレス機等を用いることなく、非常に小さな力で圧接状態を解除することができる。また、ケーブル７０や圧接端子４１やハウジング１０，２０等が破損するということもない。
【００３９】
次に、本発明の他の実施形態に係る、並進型多極コネクタ２０１及びハーネス体２０２について、図１５を参照して詳細に説明する。
【００４０】
図１５に示した並進型多極コネクタ２０１は、それぞれに接触子２４０が固定された上下一対の第１ハウジング２１０と、上下一対の第１ハウジング２１０を一体的に保持するとともに端子挿入孔２２１を有する第２ハウジング２２０と、ケーブル２７０と不図示の対コネクタとの間に介在して電気的導通を提供する略Ｌ字形状の接触子２４０と、単線ケーブル２７０の装脱着される第１及び第２圧接ブロック２５０，２６０と、第１及び第２圧接ブロック２５０，２６０をロックするための保持部材２８０とを備えている。並進型多極コネクタ２０１のおおよその形状並びに構造は、図３に示した回動型多極コネクタ１と同じであるが、図３に示した回動型多極コネクタ１と比較して、第１及び第２圧接ブロック２５０，２６０の圧接構造並びにロック構造等が異なっている。
【００４１】
すなわち、第１ハウジング２１０には、第１及び第２圧接ブロック２５０，２６０の上下方向への並進移動を案内するための案内機構が設けられている。並進移動の案内機構としては、例えば、並進方向に延在する一対のガイド溝又はガイド凸部の形成されたガイド部２３０を設けたり、第１及び第２圧接ブロック２５０，２６０の前面及び両側面においてそれぞれ並進方向に延在する一対のガイド溝又はガイド凸部等のガイド部２５１，２６１；２５３，２６３を形成したり、第１ハウジング２１０の側壁面において並進方向に延在する一対のガイド溝又はガイド凸部を形成することが可能である。
【００４２】
接触子２４０の略Ｕ字状の圧接端子は、第１ハウジング２１０のベースから千鳥状に突出するように第１ハウジング２１０のベースに対して固定されている。また、保持部材２８０は、第１ハウジング２１０のベースと保持部材２８０とによって各第１及び第２圧接ブロック２５０，２６０をサンドイッチするように配置され、保持部材２８０には、各第１及び第２圧接ブロック２５０，２６０に対応する位置に、第１及び第２圧接ブロック２５０，２６０と嵌合する嵌合窓２８５及び２８６が千鳥状に形成されている。
【００４３】
このような構成の多極コネクタ２０１において、第１圧接ブロック２５０のケーブル挿入穴に対して単線ケーブル２７０が奥に突き当たるまで挿入される。第１圧接ブロック２５０が第１ハウジング２１０に固定された対応する圧接端子の直上に位置するように、第１圧接ブロック２５０を位置決めする。作業者が手又は小型プレス機の力（例えば、５〜７ｋｇ重の力）で第１圧接ブロック２５０を押圧すると、ケーブル２７０の挿入された第１圧接ブロック５０はガイド２３０；２５１，２６１；２５３，２６３に沿って下方に並進移動しながら、対応する圧接位置に達する。したがって、手の力程度の非常に小さな圧接力で圧接することができる。圧接位置では、単線ケーブル２７０が対応する圧接端子の圧接溝に圧接されている。すなわち、単線ケーブル２７０の絶縁性被覆が圧接溝で切り裂かれて、単線ケーブル２７０の導電性心線が押し潰された状態で導電性の圧接溝に電気的に接触している。
【００４４】
上述した第１圧接ブロック２５０の圧接手順が、残りの第１圧接ブロック２５０並びに第２圧接ブロック２６０に対して繰り返される。その結果、複数のケーブル２７０が多極コネクタ２０１に対して圧接されたハーネス体２０２を得ることができる。したがって、複数のケーブル２７０を一括して圧接する場合と比較して、非常に小さな圧接力で圧接することができる。また、複数のケーブル２７０が圧接されたハーネス体２０２の中から1つのケーブル２７０を交換する場合において、交換すべき圧接ブロックに対して小さな圧接解除力を加えるだけでケーブル２７０を交換することができる。したがって、大掛かりなプレス機が不要であって、簡易的且つ小型の組立治具あるいは手による力でケーブル２７０を交換することができる。
【００４５】
なお、上記実施形態の説明においては、コネクタ配線すなわち接触子を狭ピッチで配置するために、接触子の圧接端子が千鳥状に配置されているが、接触子の圧接端子を一列に整列配置することも可能である。また、第１及び第２圧接ブロックが同一形状であってもよい。さらにまた、例えば、各第１及び第２圧接ブロックのケーブル挿入穴において、ケーブル挿入穴の内側方向に弾性的に突出するケーブル係止手段を設けて、ケーブル係止手段がケーブルに引っ掛かって、ケーブルがケーブル挿入穴から不用意に抜けることを防止する抜け防止機構を設けるようにしてもよい。
【図面の簡単な説明】
【図１】  従来の多極コネクタの斜視図である。
【図２】  図１の多極コネクタが非圧接状態にあるときの断面図である。
【図３】  本発明に係る多極コネクタの斜視図である。
【図４】  図３に示した多極コネクタの分解図である。
【図５】  図３に示した多極コネクタにおいて、一対の圧接ブロックを取り外した状態を示す斜視図である。
【図６】  図３に示した多極コネクタから取り外された一対の圧接ブロックを示す斜視図である。
【図７】  本発明に係るハーネス体の組立て手順を示す斜視図である。
【図８】  本発明に係るハーネス体の組立て手順を示す斜視図である。
【図９】  本発明に係るハーネス体の組立て手順を示す斜視図である。
【図１０】  本発明に係るシェル付ハーネス体の組立て手順を示す斜視図である。
【図１１】  本発明に係るシェル付ハーネス体の組立て手順を示す斜視図である。
【図１２】  本発明に係るハーネス体の圧接前の状態を示す断面図である。
【図１３】  本発明に係るハーネス体の圧接前の状態を示す断面図である。
【図１４】  本発明に係るハーネス体の圧接後の状態を示す断面図である。
【図１５】  本発明の他の実施形態に係るハーネス体の一部分解図である。
【符号の説明】
１  多極コネクタ
２  ハーネス体
３  シェル付ハーネス体
１０  第1ハウジング
１１  軸受部
１２  横ずれ防止凹部
１３  第２ハウジング用係合凸部
１５，１６  圧接ブロック配置空間
１７  第１係合凹部
２０  第２ハウジング
２１  端子挿入孔
２２  保持部材係合部
２２ａ  第１凸部
２２ｂ  第２凸部
２３  第1ハウジング用係合凹部
３０  保持部材
３１  第２ハウジング用係合部
３２  第２係合凹部
４０  接触子
４１  圧接端子
４２  圧接溝
４３  嵌合端子
５０  第1圧接ブロック
５０ａ  押圧指示部
５１  回動軸
５２  横ずれ防止凸部
５３  圧接端子受入穴
５４  第１係合突起部
５５  第２係合突起部
５６  ケーブル挿入穴
５７  治具挿入孔
５８  整列用凹部
５９  整列用凸部
６０  第２圧接ブロック
６０ａ  押圧指示部
６１  回動軸
６２  横ずれ防止凸部
６３  圧接端子受入穴
６４  第１係合突起部
６５  第２係合突起部
６６  ケーブル挿入穴
６７  治具挿入孔
６８  整列用凹部
６９  整列用凸部
７０  ケーブル
８０  第１シェル
８１  第２シェル
２０１  多極コネクタ
２０２  ハーネス体
２１０  第１ハウジング
２２０  第２ハウジング
２３０  ガイド部
２４０  接触子
２５０  第1圧接ブロック
２６０  第２圧接ブロック
２７０  ケーブル
【図１】
0004562895.tif 000002
【図２】
0004562895.tif 000003
【図３】
0004562895.tif 000004
【図４】
0004562895.tif 000005
【図５】
0004562895.tif 000006
【図６】
0004562895.tif 000007
【図７】
0004562895.tif 000008
【図８】
0004562895.tif 000009
【図９】
0004562895.tif 000010
【図１０】
0004562895.tif 000011
【図１１】
0004562895.tif 000012
【図１２】
0004562895.tif 000013
【図１３】
0004562895.tif 000014
【図１４】
0004562895.tif 000015
【図１５】
0004562895.tif 000016